(57)【要約】【課題】照明時の意匠性に優れた照明装置および照明方法の提供を目的とする。【解決手段】透光性材料により形成され、傾斜平面部１を備えた突起２が表面３に密に一体成形されたカバー体４と、  該カバー体３の表面３に照明光を照射する点状光源５とを有して照明装置を構成する。  また、傾斜平面部１の多数が表面３に所定パターンで成形された透光体６の前記表面３に対して点状光源５の照明光を照射し、透光体６に屈折により幾何学的な光模様をつくって照明方法を構成する。【選択図】  図１
2008041564.tif 000002
【特許請求の範囲】
【請求項１】
透光性材料により形成され、傾斜平面部を備えた突起が表面に密に一体成形されたカバー体と、
該カバー体の表面に照明光を照射する点状光源とを有する照明装置。
【請求項２】
前記突起は略六角錐体形状に形成され、
かつ、前記点状光源の複数が所定パターンで配列される請求項１記載の照明装置。
【請求項３】
前記点状光源の複数の点灯、消灯タイミングを個別に制御可能な制御部を有する請求項２記載の照明装置。
【請求項４】
傾斜平面部の多数が表面に所定パターンで成形された透光体の前記表面に対して点状光源の照明光を照射し、透光体に屈折により幾何学的な光模様をつくる照明方法。
【請求項５】
前記透光体と照明光の光源との相対移動により光模様を変化させる請求項４記載の照明方法。
【発明の詳細な説明】
【技術分野】
【０００１】
本発明は照明装置および照明方法に関するものである。
【背景技術】
【０００２】
透光体に照明光を照射する照明装置としては、従来、特許文献１に記載されたものが知られている。この従来例はランプを半透光性樹脂製のグローブで覆った照明器具であり、グローブの外表面には半透光性の印刷模様が施されるとともに、グローブの内面には、上記外表面の印刷模様に対向してより小さい大きさで半透光性の蓄光印刷模様が施される。上記外表面の印刷模様は太陽と太陽光線であり、内面の印刷模様は月と星であるため、ランプ点灯時には太陽等の模様が見え、夜間のランプ消灯時には、ランプの光が蓄光印刷模様に蓄えられて月等の模様が見える。
【特許文献１】特開２００４-３１１０３
【発明の開示】
【発明が解決しようとする課題】
【０００３】
しかしながら、上記従来例は、照明時において、半透光性の印刷模様を透過光で照らすに過ぎず、見ることができる模様はグローブに印刷され、ランプに照らされた一定のものに限られてしまい、多彩性に乏しく、意匠性が低いという欠点がある。
【０００４】
本発明は、以上の欠点を解消すべくなされたものであって、照明時の意匠性に優れた照明装置および照明方法の提供を目的とする。
【課題を解決するための手段】
【０００５】
本発明者らは、試行錯誤の結果、傾斜平面部１を備えた突起２を表面３に密に一体成形した透光性材料からなるカバー体４の前記表面３に対して、点状光源５から照明することにより、図２や図４に示すような幻想的なダイヤモンドダストのような光模様をカバー体４の照明される側から光源側に向かって見ることができることを探求した。表面３に対して傾斜する傾斜平面部１を備えた突起２を表面３に密に一体成形することによって、カバー体４が擬似的多面体として作用して屈折によって光の進行方向を変えることができ、これを発光体としての大きさが小さい点状光源５と組み合わせることにより、点状光源５の照射光がいわゆる太陽のような平行光ではなく放射状に進む放射光としてカバー体４、傾斜平面部１に有効に作用し、入射角の違いにより生じる屈折の変化と、点状光源５自体の光強度と関連づけられた大きさ等により、本来の点状およびそこから放射状に出射する発光光からなる点状光源５の外観を変化させることができるものと考えられる。
【０００６】
上記カバー体４は、透光性材料で、適宜の屈折率を備えたものであればよいものと考えられ、例えばガラスや合成樹脂などの適宜の材料により製作することが可能である。カバー体４に形成される突起２は、傾斜平面部１によってカバー体４内部を通る光の移動経路長を変更できるように上記カバー体４の材料により内部を中空ではなく中実に充填して形成され、カバー体４の製造過程において一体成形されてカバー体４と別体にして取り付けたときの接触界面での予期せぬ屈折、反射等が防止される。
【０００７】
また、点状光源５は、カバー体４の突起２、２・・に対して照射光を有効に放射状に出射できるもの、より厳密には、カバー体４に放射状に光の束を入射させることができ、屈折によってカバー体４からそれを見る人の方向、すなわち所定方向に出射される上記光の束の一部を視認可能な光強度にすることができるものであればよいものと考えられ、例えば、豆電球などの微小なフィラメントを備えた電球やＬＥＤなどを使用することが可能である。
【０００８】
また、カバー体４を介して点状光源５を見る人によって見える光は、上述したように屈折によってカバー体４から見る位置に向かうようになった光であり、したがって見る人が動いて視点が変われば、その人に見える光を変化させることができる。この変化は、光源からの放射状の光の出射方向とカバー体４における屈折との組み合わせによって、視点の移動により本来的に生じる見え方の変化とはやや異ならせることが可能で、したがって見る人の感覚的には光が独立して移動もしくは変形し、あるいは立体的であるような錯覚を生じさせ、光が模様を構成している場合には模様が変化したような幻想的なイメージを感じさせることができる。このような光の変化は、点状光源５や、カバー体４、すなわち上述の傾斜平面部１を相対移動させ、カバー体４への入射光の角度を変えることによっても同様に生じさせることができ、この場合には見る人の移動を伴わないためにより幻想的なイメージを感じさせることができる。また、突起２がカバー体４の表面３に密に配置されることにより、上述した見る方向の変更による光模様の変化をよりスムーズにするなど光模様の表現性をより向上させることができる。
【０００９】
突起２の傾斜平面部１は、上述したようにカバー体４中の光の移動経路長を変更できるものであれば足り、このためカバー体４の表面３に対する傾斜角度については、模様の見え方や、上述した模様の変化の仕方を考慮して、任意に設定することが可能である。したがって突起２は、カバー体４内で光の移動経路長を変更できる上記傾斜平面部１を備えていればよく、例えば、錐体や、球面と傾斜平面部１を組み合わせたものなど多様な形状で構成することが可能である。この場合、球面は上記傾斜平面部１のような平面とは屈折の条件が異なるため、これを利用してさらに模様の創作性を高めることも可能である。また、突起２の配置パターンについても同様で、模様の見え方を考慮して創作的に決定することができる。さらに、上述同様に突起２は、点状光源５の照明光が照射される、すなわち照明光によるカバー体４の透過光の移動経路上にあればよく、カバー体４の点状光源５側、あるいは見る人の側のいずれかの表面３に突出していれば足りる。
【００１０】
上述したように点状光源５の外観を規則的な光模様、例えば図２に示すような幾何学模様にするには、上述した突起２をパターン状に配置すればよいものと考えられ、例えば突起２について、その底面が平面充填形である正六角形からなる六角錐体形状にすれば、傾斜平面部１は六角錐体において相互に規則的に傾斜する６つの錐面により構成され、カバー体４に突起１２を密に突設させたときには、それぞれの突起２の傾斜平面部１が複合され、カバー体４の表面３は、６つの方向性を備えた傾斜平面部１群を備えることになる。この６つの方向性、パターン性の反映によってパターン模様自体が発光する幻想的な光模様を生み出すことができるものと考えられる。
【００１１】
さらに、点状光源５を所定パターン状に配置すれば、複数の光模様によってより審美的な模様を構成することが可能となり、また各点状光源５により形成される複数の模様に重なりを生じさせることも可能になって、より意匠性を高めることができる。この場合、上述した突起２の配置のパターン性と組み合わせれば、模様の規則性を維持して幻想的な美観を生じさせることができる。また、点状光源５の複数をカバー体４からの距離を異ならせて配置すれば、模様の多様化を図ることができ、上述したようにカバー体４に対して点状光源５を相対移動させた際により意匠性を高めることができる。
【発明の効果】
【００１２】
以上の説明から明らかなように、本発明によれば、照明時の意匠性に優れた照明装置および照明方法を提供することができる。
【発明を実施するための最良の形態】
【００１３】
図１および図２に本発明の実施の形態を示す。図１（ａ）は本発明の照明装置Ａの構成を概念的に示したもので、照明装置Ａは、カバー体４（透光体６）と、点状光源５とを有する。点状光源５の光がカバー体４を透過して照明する方向に照射され、これにより照明される。点状光源５はカバー体４の内表面（表面３’）に対し、適宜の光強度の照射光が適宜の広さの面積に対して放射状に拡散して入射できるように、例えばカバー体４の内表面３’から１５ｃｍ程度の適宜の間隔Ｄ１隔てて配置される。この実施の形態において上記点状光源５としては豆電球が使用され、図示しない適宜の電源からの給電により発光するフィラメントからなる発光部は小指の先程度のほぼ点状をなす。図１（ａ）において１１は照明される側にいる人の視点を模式的に示したものである。
【００１４】
カバー体４は、この実施の形態においてはドイツのＧＬＡＳＦＡＢＲＩＣ  ＬＡＭＢＥＲＴＳ社により遮光ガラスとして販売されている商品名「ＰＲＩＳＭＡＳＯＬＡＲ」が使用される。このカバー体４は、ほぼ無色透明で溝型、平板状などなど適宜の板状かならるガラスであり、光を出射する側である外表面（表面３）には、図１（ｂ）および（ｃ）に示すように、突起２が全面にほぼ隙間なく敷き詰められる。この突起２は、対角線寸法が１ミリ程度の正六角形を底部とする略錐体形状で、高さ寸法は０．５ミリ程度であり、先端は角取りされて球面１２にされる。このように略六角錐形状の突起２で外表面（表面３）を埋め尽くすことにより、外表面３が同一平面上にあれば、その外表面３上の各突起２の各錐面はいずれも同一方向を向き、規則的に配置されることとなる。
【００１５】
以上の照明装置Ａを図１（ａ）におけるようにカバー体４の豆電球５が配置される反対側から例えば１５ｃｍ程度の適宜の間隔Ｄ２離れた視点１１から見ると、図２（ａ）に示すように、光が六芒星（星型六角形）とその周りを縁取る略六角形の輪郭線のように輝いて模様をなすようになる。
【００１６】
また、この状態でカバー体４や豆電球５を動かすなどして豆電球５とカバー体４との間の間隔Ｄ１を大きくすると、上述の光模様は間隔Ｄ１の拡大に伴ってまるで虫眼鏡のように拡大して見えるようになる。また逆にカバー体４と豆電球５との間隔Ｄ１を小さくすれば、光模様は小さく見えるようになる。さらに、カバー体４をその外表面３等に平行な面内で豆電球５に対して相対回転させれば、光模様が回転したように見えるようになる。なお、カバー体４と豆電球５との上記面内での相対回転については、少なくとも豆電球５と視点１１をつなぐ軸線上を中心にして豆電球５の側を相対回転させるのでなければ光模様が回転したように見えるようになる。
【００１７】
したがって、例えば図１（ａ）において矢印で表すように豆電球５をカバー体４から離れる方向に移動させ、かつ、カバー体４を３０度程度回転させれば、光模様は、図２（ａ）に示す状態から図２（ｂ）に示す状態に変化し、元の状態よりも拡大しつつ回転する。
【００１８】
以上の照明装置Ａは、例えば、イルミネーションなどの視覚的効果を楽しむための設備として、あるいは照明器具として構成することができ、この場合少なくとも豆電球５の照射光をカバー体４を介して見ることができるようにすれば足りる。このため、カバー体４は豆電球５の照射光を見る人との間に介在すれば足りるが、一般の照明器具のように、器具の外観をすっきりとしたデザインにしたり、豆電球５の加熱によるやけどを防止できるようにするために、カバー体４によって豆電球５を覆うように構成することも可能である。
【００１９】
図３および図４に本発明の他の実施の形態を示す。なお、この実施の形態において、上述した実施の形態と同一の構成要素は図中に同一の符号を付して説明を省略する。この実施の形態において点状光源５にはいわゆるチップタイプＬＥＤと呼ばれる小指の先程度の略矩形板状からなるＬＥＤが用いられ、図３（ａ）に示すようにプリント基板１３に実装されて図示しない電源からの給電によりほぼ点状に発光する。また、上述のプリント基板１３は上記ＬＥＤ５が所定間隔で規則的に散点状に多数実装され、これにより複数のＬＥＤ５によって照明できるようにされる。
【００２０】
このプリント基板１３は、図３（ａ）に示すようにカバー体４の内表面３’に対して、より正確には突起２の配置面に対して傾斜して配置され、これによりプリント基板１３の傾斜方向に沿って配置される複数のＬＥＤ５、５・・は、カバー体４の内表面３’との間隔Ｄ１が異なり、それぞれの間隔Ｄ１１、Ｄ１２、Ｄ１３によって、作り出される模様の大きさが異なって見えるようになる。さらに、上述の実施の形態同様図３（ｂ）に示すようにプリント基板１３がカバー体４に対してその外表面３に平行な面上を回転することにより、模様が回転して見えるようになる。
【００２１】
以上の照明装置Ａを図３（ａ）に示す視点１１から、すなわちカバー体４の外表面３に対する斜め方向から見ると、見える模様は星形とその輪郭線ではあるものの、上述した実施の形態のようないわゆる等辺六芒星などの均等なバランスのものではなく、プリント基板１３の傾斜方向にのみ伸びたような、ある種カットされた縦長のダイヤモンドのような模様になる。また、図４（ａ）に示すように、カバー体４の内表面３’により近いＬＥＤ５による模様と、より遠いＬＥＤ５による模様とが重なり、またこのとき、より近いＬＥＤ５による模様は光強度がより遠いものよりも強いため、あたかも複数の光模様が光強度の差によって遠近感を付けられて重ね合わされたような、幻想的な光模様が見える。
【００２２】
この状態から視点１１を動かさずに図３（ｂ）に示すようにプリント基板１３を回転させると、回転前において視点１１から遠近方向に直線状に並ぶ複数のＬＥＤ５、５・・のそれぞれの視点１１との配置角度が変化し、これによってこれらのＬＥＤ５、５・・により作り出されるそれぞれの模様の縦横バランスが変化する。また同時に、パターン状に配置される複数のＬＥＤ５、５・・の配置の向きが変更され、さらに、複数のＬＥＤ５、５・・により作り出されるそれぞれの模様間の間隔は大きくなる。以上においてはプリント基板１３の側を動かす場合を示したが、視点１１を動かしても同様であり、このような見え方の変化によって、複数のＬＥＤ５、５・・により作り出される複数の光模様は、あたかも立体的な模様であるように見えるようになる。
【００２３】
加えて、この実施の形態において、照明装置Ａは、ＬＥＤ５への給電を制御する制御部１４を有する。ＬＥＤ５を複数備えるこの実施の形態において、制御部１４は、各ＬＥＤ５、５・・の点灯、消灯を個別に操作可能にするもので、例えばリレーなどのスイッチを有して適宜に構成される。また、図示しないＣＰＵ等の演算部などによりタイマー制御されることなどによって、各ＬＥＤ５の点灯・消灯のタイミングも調整可能にされる。したがって複数のＬＥＤ５、５・・の点灯状態の組み合わせや、その組み合わせの時間的な変化により、模様の多様性、変化性を持たせることができる。
【００２４】
なお、この実施の形態においては、ＬＥＤ５のプリント基板１３における配置をマトリックス状にする場合を示したが、このような複数の点状光源５、５・・の配置については模様を考慮して適宜決定可能である。
【図面の簡単な説明】
【００２５】
【図１】本発明の実施の形態を示す図で、（ａ）は照明装置の概念を説明する側面図、（ｂ）はカバー体のカバー面の要部拡大平面図、（ｃ）はカバー体の要部拡大断面図である。
【図２】照明装置によって見ることができる光模様を示す図で、（ａ）は図１（ａ）に示す視点から見ることができるものを示す図、（ｂ）は（ａ）の状態から矢印方向にカバー体を回転させ、かつ、図１（ａ）の矢印方向に視点を移動させたときに見ることができるものを示す図である。
【図３】他の実施の形態を示す図で、照明装置の概念を説明する側面図、（ｂ）はプリント基板の動きを説明するための平面方向矢視図である。
【図４】他の実施の形態の照明装置によって見ることができる光模様を示す図で、（ａ）は図３（ａ）に示す視点で、かつ、プリント基板の位置が同図（ｂ）において２点鎖線で示す場合に見ることができるものを示す図、（ｂ）は、プリント基板の位置が図３（ｂ）において実線で示す場合に見ることができるものを示す図である。
【符号の説明】
【００２６】
１  カバー面
２  傾斜面
３  突起
４  カバー体
５  点状光源
６  透光体
【図１】
2008041564.tif 000003
【図２】
2008041564.tif 000004
【図３】
2008041564.tif 000005
【図４】
2008041564.tif 000006